(57)【特許請求の範囲】
【請求項１】
圧縮機、放熱器、減圧装置、蒸発器を順次接続した冷媒回路と、下部の水を前記冷媒回路で加熱して上部から貯湯する貯湯槽、循環ポンプ、前記放熱器と熱交換関係を有する給湯熱交換器を順次接続した給湯回路と、前記圧縮機の吐出冷媒温度が設定温度Ａとなるように前記減圧装置の弁開度を制御する冷媒制御手段と、前記給湯熱交換器出口の湯温が設定温度Ｂとなるように前記給湯回路の水循環流量を制御する水量制御手段とを有し、前記貯湯槽に給水された水を沸き上げる運転中の沸き上げ完了近くにおいて、前記給湯熱交換器入口の水温が上昇して設定温度Ｃに達すると前記圧縮機の吐出冷媒温度が上昇する場合は、設定温度Ａを低温側へ変更することを特徴とするヒートポンプ給湯機。
【請求項２】
設定温度制御手段は給湯熱交換器入口の水温が設定温度Ｃに達してから設定温度Ａを段階的に低温側へ変更する時間の間隔を短くする請求項１記載のヒートポンプ給湯機。
【請求項３】
設定温度制御手段は給湯熱交換器入口の水温が設定温度Ｃに達してから設定温度Ａを段階的に下げ、温度低下の幅を大きくする請求項１または２記載のヒートポンプ給湯機。
【請求項４】
圧縮機、放熱器、減圧装置、蒸発器を順次接続した冷媒回路と、下部の水を前記冷媒回路で加熱して上部から貯湯する貯湯槽、循環ポンプ、前記放熱器と熱交換関係を有する給湯熱交換器を順次接続した給湯回路と、前記圧縮機の吐出冷媒温度が設定温度Ａとなるように前記減圧装置の弁開度を制御する冷媒制御手段と、前記給湯熱交換器出口の湯温が設定温度Ｂとなるように前記給湯回路の水循環流量を制御する水量制御手段とを有し、前記貯湯槽に給水された水を沸き上げる運転中の沸き上げ完了近くにおいて、前記給湯熱交換器入口の水温が上昇して設定温度Ｃに達すると前記圧縮機の吐出冷媒温度が低くなる場合は、設定温度Ａを高温側へ変更することを特徴とするヒートポンプ給湯機。
【請求項５】
圧縮機の駆動周波数を可変する駆動制御手段と、給湯熱交換器入口の水温が設定温度Ｃに達したことを検出して、前記圧縮機の駆動周波数を大きくする制御をおこなう圧縮機制御手段を備えた請求項１または４記載のヒートポンプ給湯機。
【請求項６】
冷媒回路に封入する冷媒を二酸化炭素とする請求項１〜５いずれか１項に記載のヒートポンプ給湯機。
【発明の詳細な説明】
【０００１】
【発明の属する技術分野】
本発明はヒートポンプ利用給湯装置に関するものである。
【０００２】
【従来の技術】
従来、この種のヒートポンプ利用給湯装置としては、例えば、特開昭５９−１５７７８号公報に記載されているようなものがあった。図１１は前記公報に記載された従来のヒートポンプ利用給湯装置を示すものである。
【０００３】
図１１において、１は圧縮機、２は凝縮器、３は減圧装置、４は蒸発器、５は貯湯槽、６は循環ポンプであり、圧縮機１、凝縮器２、減圧弁３、蒸発器４と連結してヒートポンプ装置を形成する。
【０００４】
【発明が解決しようとする課題】
しかしながら、前記従来の構成では、沸き上げ運転時間の経過とともに貯湯槽５内の湯と水の接する部分で湯水混合層が生じ、その湯水混合層が次第に拡大していく。図１２は、貯湯層内の湯と水の混合層の温度分布を示す。これは、高温湯と低温水の熱伝導および対流により発生するものであり、高温湯から低温水へ伝熱され、その境界部分で高温湯は温度低下し、逆に低温水は温度上昇する。従って、沸き上げ完了近くになると、前記給湯熱交換器に流入する水温は高くなる。そのため、圧縮機の吐出冷媒圧力、吐出冷媒温度が高くなり、モータの巻線温度の上昇など圧縮機の耐久性が課題となるため運転を停止しなくてはならない。よって、貯湯槽の下部は中低温の水を貯水する状態となるため、貯湯槽容量を有効に利用して貯湯することができない。
【０００５】
本発明は、前記従来の課題を解決するもので、運転中に給湯熱交換器に流入する水温が設定温度より高くなったことを検出して、圧縮機の吐出冷媒温度の設定温度を低くして、給湯熱交換器に流入する水温が高温となるまで運転を継続できるようにして、貯湯槽の容積全体に高温水を貯湯するものである。
【０００６】
【課題を解決するための手段】
前記従来の課題を解決するために、本発明のヒートポンプ給湯機は、圧縮機、放熱器、減圧装置、蒸発器を順次接続した冷媒回路と、下部の水を冷媒回路で加熱して上部から貯湯する貯湯槽、循環ポンプ、放熱器と熱交換関係を有する給湯熱交換器を順次接続した給湯回路と、圧縮機の吐出冷媒温度が設定温度Ａとなるように減圧装置の弁開度を制御する冷媒制御手段と、給湯熱交換器出口の湯温が設定温度Ｂとなるように給湯回路の水循環流量を制御する水量制御手段とを有し、前記貯湯槽に給水された水を沸き上げる運転中の沸き上げ完了近くにおいて、前記給湯熱交換器入口の水温が上昇して設定温度Ｃに達すると前記圧縮機の吐出冷媒温度が上昇する場合は、設定温度Ａを低温側へ変更するものである。
【０００７】
これによって、運転中に湯水混合層の中低温水が給湯熱交換器へ流入しはじめると、それにつれて冷媒温度、冷媒圧力が上昇する。そして、給湯熱交換器へ流入する中低温水の温度が急激に上昇するため、圧縮機の吐出冷媒温度も急激に上昇する。従って、給湯熱交換器へ流入しはじめる温水が設定温度Ｃに達すると、圧縮機の吐出冷媒温度の設定温度Ａを下げて、給湯熱交換器に流入する水温が高温となるまで運転して、貯湯槽の容積全体に高温水を貯湯する。
【０００８】
【発明の実施の形態】
請求項１に記載の発明は、圧縮機、放熱器、減圧装置、蒸発器を順次接続した冷媒回路と、下部の水を冷媒回路で加熱して上部から貯湯する貯湯槽、循環ポンプ、放熱器と熱交換関係を有する給湯熱交換器を順次接続した給湯回路と、圧縮機の吐出冷媒温度が設定温度Ａとなるように減圧装置の弁開度を制御する冷媒制御手段と、給湯熱交換器出口の湯温が設定温度Ｂとなるように給湯回路の水循環流量を制御する水量制御手段とを有し、前記貯湯槽に給水された水を沸き上げる運転中の沸き上げ完了近くにおいて、前記給湯熱交換器入口の水温が上昇して設定温度Ｃに達すると前記圧縮機の吐出冷媒温度が上昇する場合は、設定温度Ａを低温側へ変更するものである。運転中に給湯熱交換器入口の水温が設定温度Ｃに達したことを検出して、運転中に設定温度Ｃの湯水混合層の温水が給湯熱交換器へ流入しはじめると、圧縮機の吐出冷媒温度の設定温度Ａを下げて、給湯熱交換器に流入する水温が高温となるまで運転を継続できるようにして、貯湯槽の容積全体に高温水を貯湯する。
【０００９】
請求項２に記載の発明は、前述の構成に加え、給湯熱交換器入口の水温が設定温度Ｃに達してから設定温度Ａを段階的に低温側へ変更する時間間隔を短くするようにしたものであり、夏季などの沸き上げ運転時間が短い場合には、貯湯槽内の湯水の熱交換時間が短いため湯水混合層領域が少ない。そのため、給湯熱交換器に流入する水温が急激に上昇するけれども、圧縮機の吐出冷媒温度の設定温度Ａを低温側に設定変更する時間間隔を短くして圧縮機の吐出冷媒温度の上昇を抑え、給湯熱交換器に流入する水温が高温となるまで運転を継続できるようにして、貯湯槽の容積全体に高温水を貯湯する。
【００１０】
請求項３に記載の発明は、前述の構成に加え、給湯熱交換器入口の水温が設定温度Ｃに達してから設定温度Ａを段階的に下げ、温度低下の幅を大きくするようにしたものであり、沸き上げ完了直後に少量出湯して、再度沸き上げ運転する場合など、貯湯槽下部に給水された水温と沸き上げ湯温の温度差が大きくなるため給湯熱交換器に流入する水温が不連続に急激に変化する。このような急激な水温変化に対して、圧縮機の吐出冷媒温度の設定温度Ａを下げ、その温度低下の幅を大きくして、圧縮機の吐出冷媒温度の異常上昇を防止し、給湯熱交換器に流入する水温が高温となるまで運転を継続できるようにする。
【００１１】
請求項４に記載の発明は、圧縮機、放熱器、減圧装置、蒸発器を順次接続した冷媒回路と、下部の水を前記冷媒回路で加熱して上部から貯湯する貯湯槽、循環ポンプ、前記放熱器と熱交換関係を有する給湯熱交換器を順次接続した給湯回路と、前記圧縮機の吐出冷媒温度が設定温度Ａとなるように前記減圧装置の弁開度を制御する冷媒制御手段と、前記給湯熱交換器出口の湯温が設定温度Ｂとなるように前記給湯回路の水循環流量を制御する水量制御手段とを有し、前記貯湯槽に給水された水を沸き上げる運転中の沸き上げ完了近くにおいて、前記給湯熱交換器入口の水温が上昇して設定温度Ｃに達すると前記圧縮機の吐出冷媒温度が低くなる場合は、設定温度Ａを高温側へ変更することを特徴とするヒートポンプ給湯機であり、この場合には、高圧側は臨界圧力以上で動作して、高効率高温沸き上げの運転をおこなうためには、圧縮機の吐出冷媒温度と吐出冷媒圧力をかなり高温高圧化で運転する。そして、湯水混合層の温水が給湯熱交換器に流入すると、放熱器から流出する冷媒温度が高くなって冷媒の放熱量が低下する。そのため、冷媒と水の平均温度差が小さくなるため、給湯熱交換器出口の湯温を一定とする場合には、放熱器に流入する冷媒温度が低下する。従って、給湯熱交換器に流入する水温が高温になるまで運転を継続して貯湯槽の容積全体に高温水を貯湯することができる。
【００１２】
請求項５に記載の発明は、前述の構成に加え、圧縮機の駆動周波数を可変する駆動制御手段と、給湯熱交換器入口の水温が設定温度Ｃに達したことを検出して、圧縮機の駆動周波数を大きくする制御をおこなう圧縮機制御手段を備え、給湯熱交換器入口の水温が設定温度Ｃに達したことを検出して、圧縮機の駆動周波数を大きくして、吐出冷媒温度を高めて高効率、かつ給湯加熱能力を大きくして貯湯槽の容積全体に高温水を貯湯する。
【００１３】
請求項６に記載の発明は、冷媒回路に封入する冷媒を二酸化炭素とする場合、前述の構成に加え、給湯熱交換器入口の水温が設定温度Ｃに達したことを検出して、圧縮機の冷媒吐出温度の設定温度Ａを高温側に変更し、さらに高温湯で貯湯槽の容積全体を貯湯する。
【００１４】
【実施例】
以下、本発明の実施例について、図面を参照しながら説明する。なお、従来例および各実施例において、同じ構成、同じ動作をするものについては同一符号を付し、一部説明を省略する。
【００１５】
（実施例１）
図１は本発明の実施例１におけるヒートポンプ給湯機の構成図を示すものである。図１において、１は圧縮機、２は放熱器、３は減圧装置、４は蒸発器であり、大気熱あるいは太陽熱を集熱する。そして、圧縮機１、放熱器２、減圧装置３、蒸発器４は順次接続され、フロンＨＦＣ冷媒を封入する冷媒回路を構成する。５は貯湯槽、６は循環ポンプ、７は給湯熱交換器であり、放熱器２と熱交換関係を有する。そして、貯湯５の下部から循環ポンプ６、給湯熱交換器７、貯湯槽５の上部を順次接続した給湯回路を構成する。８は冷媒温度検出手段であり、圧縮機１の吐出冷媒温度を検出する。９は冷媒制御手段であり、冷媒温度検出手段８の検出信号から圧縮機１の吐出冷媒温度が予め設定された設定温度Ａとなるように減圧装置３の弁開度を制御する。１０は湯温検出手段であり、給湯熱交換器７の出口湯温を検出する。１１は水量制御手段であり、給湯熱交換器７出口の湯温が設定温度Ｂとなるように湯温検出手段１０の検出信号と比較しながら給湯回路の水循環流量を制御する。例えば、循環ポンプ６の回転数を可変して水循環流量を制御する。１２は水温検出手段であり、給湯熱交換器７に流入する水温を検出するものであり、給湯熱交換器７の入口、あるいは給湯熱交換器７へ流出する貯湯槽５の下部出口近傍に設けられている。１３は設定温度制御手段であり、運転中に給湯熱交換器７入口の水温が設定温度Ｃに達した後、設定温度Ａを変更する。
【００１６】
以上のように構成されたヒートポンプ給湯機について、以下その動作、作用を説明する。図１において、最初に、貯湯槽５に給水された水を沸き上げる運転について述べる。この場合、圧縮機１から吐出された高温高圧の冷媒は放熱器２に流入し、ここで循環ポンプ６から送られてきた水を加熱する。そして、減圧装置３で減圧されて蒸発器４に流入する。そして、大気熱を吸熱して蒸発ガス化し、圧縮機１にもどる。このサイクルにおいて、外気温度条件、あるいは太陽日射量、給水温度などに対して、圧縮機１の吐出冷媒温度が予め設定された設定温度Ａとなるように冷媒制御手段９が減圧装置３の弁開度を制御する。本発明では、設定温度Ａをおよそ１００℃とする。一方、貯湯槽５の下部から流出した水は循環ポンプ６を介して給湯熱交換器７に流入し、放熱器２を介して設定温度Ｂとなるように昇温して貯湯槽５の上部にたくわえられる。ここで、給湯熱交換器７の出口湯温を湯温検出手段１０が検知し、水量制御手段１１が設定温度Ｂとなるように湯温検出手段１０の検出信号と比較しながら給湯回路の水循環流量を制御する。そして、この運転を継続しながら、貯湯槽５の上部から貯湯し、湯面がしだいに貯湯槽５の下部に下がってくる。この運転中に貯湯槽５内では、上部の湯と下部の低温水の境界で熱伝導による熱交換がおこなわれ、上部の湯温は下がり、下部の水温は上昇する湯水混合層を形成し、この混合層は時間経過とともに拡大する。そして、沸き上げ完了近くになると貯湯槽５内の湯水混合層の水が給湯熱交換器７に流入しはじめて、圧縮機１の吐出冷媒温度が上昇する。そして、水温検出手段１２の検出信号から流入温度が設定温度Ｃに達したことを認識して、設定温度制御手段１３が圧縮機１の吐出冷媒温度の設定温度Ａを下げる。そして、圧縮機１の吐出冷媒温度が変更された設定温度となるように冷媒制御手段９が減圧措置３を制御する。よって、圧縮機の吐出冷媒温度を下げて運転するため、給湯熱交換器に流入する水温が高温になるまで運転できるようになる。従って、圧縮機の耐久性を確保しつつ、貯湯槽の容積全体に高温水を貯湯できる。
【００１７】
また、図２のように、水量制御手段１１は給湯回路に流量制御弁１４を備えて弁開度を可変し、水循環流量を制御しても設定温度Ｂの湯を貯湯することができ、同様の効果が得られる。但し、この場合には、循環ポンプの定格循環流量から弁最小絞りまで流量変化幅は大きくなる利点がある。しかし、低流量時も定格消費電力を費やすため、消費電力量が大きくなる課題がある。
【００１８】
（実施例２）
図３は本発明の実施例２のヒートポンプ給湯機の構成図である。図４は実施例２のヒートポンプ給湯機運転中の貯湯槽内の湯温分布を表わす。図５は湯水混合層域に達した時の圧縮機の吐出冷媒温度、給湯熱交換器出口水温の経時変化を表わし、実線は本発明の温度変化を表わし、破線は従来制御の温度変化を表わすグラフである。図３において、１５は設定温度制御手段であり、給湯熱交換器７入口の水温が設定温度Ｃに達してから設定温度Ａを段階的に低温側へ変更する時間の間隔を短くする。
【００１９】
以上の構成において、その動作、作用について説明する。夏季などの沸き上げ運転時間が短い場合には、図４に表わす如く、湯水の熱交換時間が短いため湯水混合層領域が少ない。そのため、給湯熱交換器７に流入する水温が急激に上昇する。そして、水温検出手段１２の検出信号から給湯熱交換器７への流入温度が設定温度Ｃに達したことを認識して、設定温度制御手段１５が圧縮機１の吐出冷媒温度の設定温度Ａを下げる。そして、図５に表わす如く、圧縮機１の吐出冷媒温度の設定値を下げる設定温度Ａの設定変更をおこなう時間間隔をしだいに短くするため急激な水温上昇に追随できるようになり、吐出冷媒温度の異常上昇が生じない。従って、圧縮機の耐久性を確保しつつ給湯熱交換器に流入する水温が高温となるまで運転を継続でき、貯湯槽の容積全体に高温水を貯湯する。
【００２０】
（実施例３）
図６は本発明の実施例３のヒートポンプ給湯機の構成図である。図７は湯水混合層域に達した時の圧縮機の吐出冷媒温度、給湯熱交換器出口水温の経時変化を表わし、実線は本発明の温度変化を表わし、破線は従来制御の温度変化を表わすグラフである。図６において、１６は設定温度制御手段であり、給湯熱交換器７入口の水温が設定温度Ｃに達してから設定温度Ａを段階的に下げ、温度低下の幅を大きくする。
【００２１】
以上の構成において、その動作、作用について説明する。
【００２２】
沸き上げ完了直後に少量出湯して、再度沸き上げ運転する場合について説明する。この場合、少量出湯すると水道の圧力によって出湯量と同じ水量が貯湯槽下部に給水される。そして、再度沸き上げ運転をおこなうと、給水した水温と沸き上げ直後の湯温の差が大きいため、給湯熱交換器に流入する水温は不連続的に急激に上昇変化する。そのため、水温検出手段１２の検出信号から給湯熱交換器７への流入温度が設定温度Ｃに達したことを認識して、設定温度制御手段１６が圧縮機１の吐出冷媒温度の設定温度Ａを下げる。そして、圧縮機の吐出冷媒温度の設定温度Ａを下げる変更幅を大きくして、急激な水温変化に対しても圧縮機の吐出冷媒温度の異常上昇を防止する。従って、圧縮機の耐久性を確保しつつ給湯熱交換器に流入する水温が高温となるまで運転を継続できるようにする。
【００２３】
（実施例４）
図８は本発明の実施例４のヒートポンプ給湯機の動作を表わす二酸化炭素冷媒の圧力と比エンタルピのグラフである。図９は放熱器で熱交換する際の冷媒温度と水温を表わし、実線が低温の給水温度を加熱する場合を表わし、破線が湯水混合層域に達した中温度の水を加熱する場合を表わす。
【００２４】
以上の構成において、その動作、作用について説明する。
【００２５】
冷媒回路に封入する冷媒を二酸化炭素とするヒートポンプ給湯機は図８で示す如く、高圧側は臨界圧力以上で動作する。そして、圧縮機１が吸入冷媒ａ点から吐出冷媒ｂ点まで圧縮して高温高圧冷媒にして、放熱器２に流入する。ここで循環ポンプ６を介して貯湯槽５から送られてきた水を加熱する。その際、放熱器２を通過する冷媒は放熱しながらｂ点から、給水温度より高温のｃ点まで温度低下する。そして、減圧装置３でｄ点まで減圧されて臨界圧力以下となり蒸発器４に流入する。そして、大気熱を吸熱して蒸発ガス化し、圧縮機１のａ点にもどる。一方、貯湯槽５の下部から流出した水は循環ポンプ６を介して給湯熱交換器７に流入し、放熱器２を介して加熱されて貯湯槽５の上部にたくわえられる。ここで、給湯熱交換器７の出口湯温を湯温検出手段１０が検知し、水量制御手段１１が設定温度Ｂとなるように湯温検出手段１０の検出信号と比較しながら給湯回路の水循環流量を制御する。そして、この運転を継続しながら、貯湯槽５の上部から貯湯し、湯面がしだいに貯湯槽５の下部に下がってくる。この運転中に貯湯槽５内では、上部の湯と下部の低温水の境界で熱伝導による熱交換がおこなわれ、上部の湯温は下がり、下部の水温は上昇する湯水混合層を形成し、この混合層は時間経過とともに拡大する。そして、貯湯槽５内の湯水混合層の水が給湯熱交換器７に流入すると、放熱器２から流出する冷媒温度がｃ’点まで上昇する。ｃ’点の冷媒温度は給湯熱交換器７に流入する水温より当然高い。そのため、放熱量が図８中のＱｃからＱｃ’へ低下する。よって、図９のグラフに表わす如く、冷媒と水の平均温度差がΔｔ１からΔｔ２に小さくなるため、給湯熱交換器７出口の湯温を一定とする場合には、放熱器２に流入する冷媒温度が低下する。すなわち、圧縮機１の吐出冷媒温度が低くなっても設定温度Ｂの湯温が確保できる。例えば、放熱量が約６０％に低下する場合、冷媒と水の温度差が２０ｄｅｇから１２ｄｅｇとなり、放熱器に流入する冷媒温度が８ｄｅｇ低下する。従って、給湯熱交換器に流入する水温が高温になるまで運転を継続できるため貯湯槽の容積全体に高温水を貯湯できる。
【００２６】
そして、給湯熱交換器７入口の水温が設定温度Ｃに達したことを検出して、圧縮機１の吐出冷媒の設定温度Ａの設定値を高温側に変更することによって、圧縮機１の冷媒吐出温度を上げて、さらに高温湯で貯湯槽の容積全体に高温水を貯湯する。
【００２７】
（実施例５）
図１０は本発明の実施例５の冷媒として二酸化炭素を用いたヒートポンプ給湯機の構成図である。図１０において、１７は駆動制御手段であり、圧縮機１の駆動周波数を可変する。１８は圧縮機制御手段であり、給湯熱交換器７入口の水温が設定温度Ｃに達したことを検出して、圧縮機１の駆動周波数を大きくするように駆動制御手段１７に指令する。
【００２８】
以上の構成において、その動作、作用について説明する。給湯熱交換器７入口の水温が設定温度Ｃに達したことを検出して、圧縮機１の駆動周波数が大きくなる。そのため、圧縮機１の圧縮比が大きくなるため吐出冷媒温度が高くなり、給湯熱交換器７の出口水温を高めることができる。また、放熱量（給湯加熱能力）が増大する。従って、短時間で高温の湯を貯湯槽の容積全体に貯湯できるようになる。
【００２９】
【発明の効果】
以上のように、本発明によれば、フロン系の冷媒、あるいは高圧側が臨界圧力以上となる二酸化炭素の冷媒を用いたヒートポンプ給湯機において、沸き上げ完了直前の湯水混合層域の水が高温水になっても給湯運転できるようにして、貯湯槽の容積全体に高温水を貯湯するものである。
【図面の簡単な説明】
【図１】  本発明の実施例１のヒートポンプ給湯機の構成図
【図２】  本発明の実施例１の他のヒートポンプ給湯機の構成図
【図３】  本発明の実施例２のヒートポンプ給湯機の構成図
【図４】  本発明の実施例２のヒートポンプ給湯機運転中の貯湯槽内の湯温分布を表わす図
【図５】  本発明の実施例２のヒートポンプ給湯機の圧縮機の吐出冷媒温度変化を表わすグラフ
【図６】  本発明の実施例３のヒートポンプ給湯機の構成図
【図７】  本発明の実施例３のヒートポンプ給湯機の圧縮機の吐出冷媒温度変化を表わすグラフ
【図８】  本発明の実施例４のヒートポンプ給湯機の冷媒圧力と比エンタルピ線のグラフ
【図９】  本発明の実施例４のヒートポンプ給湯機の放熱器内の冷媒と水の温度変化のグラフ
【図１０】  本発明の実施例５のヒートポンプ給湯機の構成図
【図１１】  従来のヒートポンプ給湯機の構成図
【図１２】  従来のヒートポンプ給湯機運転中の貯湯槽内の湯温分布を表わす図
【符号の説明】
１  圧縮機
２  放熱器
３  減圧装置
４  蒸発器
５  貯湯槽
６  循環ポンプ
７  給湯熱交換器
８  冷媒温度検出手段
９  冷媒制御手段
１０  湯温検出手段
１１  水量制御手段
１２  水温検出手段
１３、１５、１６  設定温度制御手段
１４  流量制御弁
１７  駆動制御手段
１８  圧縮機制御手段
【図１】
0003755422.tif 000002
【図２】
0003755422.tif 000003
【図３】
0003755422.tif 000004
【図４】
0003755422.tif 000005
【図５】
0003755422.tif 000006
【図６】
0003755422.tif 000007
【図７】
0003755422.tif 000008
【図８】
0003755422.tif 000009
【図９】
0003755422.tif 000010
【図１０】
0003755422.tif 000011
【図１１】
0003755422.tif 000012
【図１２】
0003755422.tif 000013